(57)【特許請求の範囲】
【請求項１】
媒体に複数の平行な線を描くための定規であって、
前記媒体上に載置可能に形成され、横長の開口部を有し、該開口部に臨む対向する平行な一対の縁部にそれぞれレール部が直線状に形成されたホルダーと、
該ホルダーの前記開口部に設けられ、前記一対の縁部の間において前記レール部に沿ってスライド可能に設けられるスライダーと、
を備え、
前記スライダーは、前記レール部にそれぞれ沿うように形成される一対のスライド部と、該両スライド部間において前記レール部に対して直交する方向に形成される連結部と、を備え、該連結部には、前記レール部に対して直交する方向に６個の挿入孔部が所定間隔で形成され、
前記スライダーには前記一対の縁部に向かって突出する複数の突部が設けられ、該突部のうち左右両端の突部のみが該縁部に当接可能に形成されていることを特徴とする定規。
【請求項２】
前記挿入孔部は、前記媒体側の周縁部が先細円錐状に形成された形状を有していることを特徴とする請求項１に記載の定規。
【請求項３】
前記ホルダーには、前記スライダーのスライド長さを示す目盛りが前記レール部に沿って表示されていることを特徴とする請求項１又は２に記載の定規。
【請求項４】
外形が横長の長方形状を成し、１６〜２０ｃｍの範囲の長さと４〜６ｃｍの範囲の幅を有するように形成されていることを特徴とする請求項１〜３のいずれかの請求項に記載の定規。
【発明の詳細な説明】
【技術分野】
【０００１】
本発明は、ノート等の媒体に複数の平行な線を描くための定規に関するものである。
【背景技術】
【０００２】
音楽の授業やレッスン中に、ノートに１〜２小節程度の五線譜を描くことが必要な場合がある。このような場合、従来は、その都度ノートに通常の定規で５本の線を引いたり、或いは、最初から五線譜が印刷された五線紙ノートを使用したりしていた。
【先行技術文献】
【非特許文献】
【０００３】
【非特許文献１】五線テープの販売サイトhttp://www.gorakusen.jp/jp/
【非特許文献２】五線スタンプの販売サイトhttp://onyousha.ocnk.net/product-list/1http://item.rakuten.co.jp/bambooshop/gosen-01/
【非特許文献３】五線ペンの販売サイトhttp://www.yamaha-ginza-webshop.com/SHOP/P-160N4534203116641.html
【発明の概要】
【発明が解決しようとする課題】
【０００４】
しかしながら、通常の定規で５本の線を引くのは手間が掛かると共にきれいに５本の線を引くことができないという問題がある。一方、五線紙ノートを使用する場合には、通常
文章が五線によって見難くなってしまうという問題がある。
【０００５】
また、従来、五線テープ、五線スタンプ、五線ペン等の五線譜専用具も販売されている（非特許文献１〜３参照）が、この種の五線譜専用具は、五線しか描くことができないため、ホルダー譜用のベース、ウクレレ用の四線やギター用の六線には対応できないという問題がある。また、価格が高く、利便性が低いという問題もある。
【０００６】
本発明は、上記した課題を解決すべくなされたものであり、ノート等の媒体に必要に応じて簡単に手書きで楽譜の線を描くことのできる定規を提供することを目的とするものである。
【課題を解決するための手段】
【０００７】
上記した目的を達成するため、本発明は、媒体に複数の平行な線を描くための定規であって、前記媒体上に載置可能に形成され、直線状のレール部を有するホルダーと、該ホルダーのレール部に沿ってスライド可能に設けられ、該レール部に対して交差する方向に所定間隔で形成される複数の挿入孔部を有するスライダーと、を備えていることを特徴とする。
【０００８】
また、本発明に係る定規において、前記ホルダーは横長の開口部を有し、該開口部に臨む対向する平行な一対の縁部にそれぞれ前記レール部が形成され、前記スライダーは前記一対の縁部の間に設けられ、前記挿入孔部は該レール部に直交する方向に所定間隔で６個形成されていてもよい。
【０００９】
また、本発明に係る定規において、前記スライダーには前記一対の縁部に向かって突出する複数の突部が設けられ、該突部のうち左右両端の突部のみが該縁部に当接可能に形成されていてもよい。
【００１０】
また、本発明に係る定規において、前記ホルダーには、前記スライダーのスライド長さを示す目盛りが前記レール部に沿って表示されていてもよい。
【００１１】
また、本発明に係る定規において、外形が横長の長方形状を成し、１６〜２０ｃｍの範囲の長さと４〜６ｃｍの範囲の幅を有するように形成されていてもよい。
【発明の効果】
【００１２】
本発明によれば、ノート等の媒体に必要に応じて簡単に手書きで楽譜等の平行な線を描くことができる等、種々の優れた効果を得ることができる。
【図面の簡単な説明】
【００１３】
【図１】本発明の実施の形態に係る定規を示す平面図である。
【図２】本発明の実施の形態に係る定規を示す半断面図である。
【図３】本発明の実施の形態に係る定規を示す裏面図である。
【図４】本発明の実施の形態に係る定規のスライダーを示す平面図である。
【図５】本発明の実施の形態に係る定規のスライダーを示す半断面図である。
【図６】本発明の実施の形態に係る定規のスライダーを示す裏面図である。
【発明を実施するための形態】
【００１４】
以下、図面を参照しつつ、本発明の実施の形態に係る定規１０について説明する。ここで、図１は定規１０を示す平面図、図２は定規１０を示す半断面図、図３は定規１０を示す裏面図、図４は定規１０のスライダー１９を示す平面図、図５は定規１０のスライダー１９を示す半断面図、図６は定規１０のスライダー１９を示す裏面図である。
【００１５】
本実施の形態に係る定規１０は、外形が横長の長方形状を有するホルダー１１を備えている。このホルダー１１はノート等の媒体上に載置可能なように樹脂製板状部材により形成され、好ましくは、１６〜２０ｃｍの範囲の長さ（図１の左右方向の寸法）と４〜６ｃｍの範囲の幅（図１の上下方向の寸法）を有するように形成されている。このように寸法を設定することにより、市販されているほとんどのペンケース内に定規１０を収容することができるため、携帯し易くなる。
【００１６】
ホルダー１１には、その外形に沿うように、横長長方形状の開口部１２が形成されており、開口部１２を臨む対向する平行な一対の縁部にそれぞれレール部１３，１４が平面視で直線状に形成されている。レール部１３，１４には、断面視でそれぞれ端面１５，１６から互いに近接する方向に突出するように形成されている。
【００１７】
ホルダー１１の開口部１２には、前記一対の縁部の間にスライダー１９がレール部１３，１４に沿ってスライド可能に設けられている。スライダー１９は、レール部１３，１４にそれぞれ沿うように形成されるスライド部２０，２１と、両スライド部２０，２１間においてレール部１３，１４に対して直交する方向に形成される連結部１７と、を備えて構成されている。
【００１８】
各スライド部２０及び２１には、それぞれ５箇所ずつ、突部２２ａ，２２ｂ，２２ｃ，２２ｄ，２２ｅ及び２３ａ，２３ｂ，２３ｃ，２３ｄ，２３ｅが突設され、各突部２２ａ，２２ｂ，２２ｃ，２２ｄ，２２ｅ及び２３ａ，２３ｂ，２３ｃ，２３ｄ，２３ｅはそれぞれレール部１３，１４上に載置されている。突部２２ａ，２２ｂ，２２ｃ，２２ｄ，２２ｅ及び２３ａ，２３ｂ，２３ｃ，２３ｄ，２３ｅのうち、中央の突部２２ｃ，２３ｄ以外の突部２２ａ，２２ｂ，２２ｄ，２２ｅ及び２３ａ，２３ｂ，２３ｄ，２３ｅは、半円形状を有し、中央の突部２２ｃ，２３ｄは先端が鋭角な三角形状を有している。
【００１９】
突部２２ａ，２２ｂ，２２ｃ，２２ｄ，２２ｅ及び２３ａ，２３ｂ，２３ｃ，２３ｄ，２３ｅのうち、左右両端に形成される突部２２ａ，２２ｅ及び２３ａ，２３ｅの先端はそれぞれレール部１３，１４の端面１５，１６に当接している。また、左右両端以外の突部２２ｂ，２２ｃ，２２ｄ及び２３ｂ，２３ｃ，２３ｄは左右両端の突部２２ａ，２２ｅ及び２３ａ，２３ｅより突出長が短く、レール部１３，１４の端面１５，１６からそれぞれ離間している。これにより、スライダー１９のガタツキを防止することができる。
【００２０】
各スライド部２０，２１の裏面側中央部には、中央の突部２２ｃ，２３ｃに対向する位置に先端鉤状の係止部２４，２５がそれぞれ形成されている。係止部２４，２５と突部２２ｃ，２３ｃとの間には、レール部１３，１４を挟持するように凹部２９，３０が形成され、この凹部２９，３０にレール部１３，１４が係合可能となっている。
【００２１】
連結部２２には、レール部１３に対して直交する方向に６個の挿入孔部２６ａ，２６ｂ，２６ｃ，２６ｄ，２６ｅ，２６ｆが所定間隔（例えば３ｍｍ間隔）で形成されている。各挿入孔部２６ａ，２６ｂ，２６ｃ，２６ｄ，２６ｅ，２６ｆは、ボールペンのペン先が挿入可能な略円筒形状を有し、その裏面側周縁部は先細円錐状に加工されている。これにより、各挿入孔部２６ａ，２６ｂ，２６ｃ，２６ｄ，２６ｅ，２６ｆにボールペンのペン先を挿入し易くなると共に、定規１０の使用時にボールペンのインクがノート等の媒体に付着するのを防止することができる。
【００２２】
また、ホルダー１１には、各レール部１３，１４に沿って、スライダー１９のスライド長さを示す２種類の目盛り２７，２８が表示されており、一方の目盛り２７はセンチメートルで表示され、他方の目盛り２８はインチで表示されている。また、これらの目盛り２７，２８は、開口部１２の最も左側及び右側に移動したスライダー１９の中央の突部２２ｃ，２３ｃの先端位置に目盛り２７，２８の起点と終点がそれぞれ合致するように設定されている。
【００２３】
さらに、ホルダー１１の裏面側には、滑り止め用のラバー２９が貼付されており、これにより、定規１０を使用して線を描く際にホルダー１１が移動するのを防止することができ、作業性を高めることができる。
【００２４】
このような構成を備えた本発明の実施の形態に係る定規１０を使用して、例えば五線譜を描く場合、ノート等の媒体上の所望な位置に定規１０を載置し、ボールペンのペン先を、例えば最上部の挿入孔部２６ａに入れ、目盛り２７，２８を確認しながらスライダー１９をレール部１３，１４に沿って所要長さスライドさせる。その後、最下部の挿入孔部２６ｆを除く、他の連続する４個の挿入孔部２６ｂ，２６ｃ，２６ｄ，２６ｅにも順次、ボールペンのペン先を入れ、同様の動作を繰り返す。これにより、ノート等の媒体の所望な位置に所要な長さの五線譜を簡単且つ確実に描くことができる。また、この時、ホルダー１１を横に移動させることで、スライダー１９の移動距離を長くし、目盛り２７，２８の最大長さより長い線を描くことも可能である。
【００２５】
さらに、この場合、６個すべての挿入孔部２６ａ，２６ｂ，２６ｃ，２６ｄ，２６ｅにボールペンのペン先を入れてスライダー１９をスライドさせることで六線を描くこともでき、或いは、連続する３個又は４個の挿入孔部にボールペンのペン先を入れてスライダー１９をスライドさせることで三線又は四線を描くこともできる。したがって、ギターやホルダーＴＡＢ譜（六線）や、三味線の文化譜（三線）や、ベース、ウクレレのホルダーＴＡＢ譜（四線）など、必要に応じて、五線譜以外の楽譜を描くことも可能である。
【００２６】
このような本発明の実施の形態に係る定規１０によれば、必要な場所に所望な長さの五線譜等を簡単な操作で確実に描くことができる。したがって、１〜２小節だけの短い五線や１段だけの五線が必要な場合や、１コードだけＴＡＢ譜で説明したい場合など、短い楽譜で表記したい、いろいろな場合に有用である。
【００２７】
また、五線紙ノートを使用する必要がないため、ノート等に書いた文章が五線によって見難くなってしまうことがない。
【００２８】
なお、上記した本発明の実施の形態では、本発明に係る定規１０を、楽譜を描く用途に使用する場合について説明したが、これは単なる例示に過ぎず、本発明に係る定規１０は、例えば、英語のアルファベットを学習する時に四本の平行な直線を描いたり、或いは、あみだくじ用の平行な直線を描いたりする等、楽譜以外の用途に使用することも可能である。
【００２９】
また、上記した本発明の実施の形態の説明は本発明に係る定規１０における好適な実施の形態を説明しているため、材質、形状、数量、位置等において、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素との置き換えが可能であり、かつ他の既存の構成要素との組み合わせを含む様々なバリエーションが可能であり、上記した本発明の実施の形態を持って、特許請求の範囲に記載された発明の内容を限定するものではない。
【符号の説明】
【００３０】
１０    定規
１１    ホルダー
１２    開口部
１３，１４    レール部
１９    スライダー
２２ａ，２２ｂ，２２ｃ，２２ｄ，２２ｅ    突部
２３ａ，２３ｂ，２３ｃ，２３ｄ，２３ｅ    突部
２６ａ，２６ｂ，２６ｃ，２６ｄ，２６ｅ    挿入孔部
２７，２８    目盛り
【図１】
0006418599.tif 000002
【図２】
0006418599.tif 000003
【図３】
0006418599.tif 000004
【図４】
0006418599.tif 000005
【図５】
0006418599.tif 000006
【図６】
0006418599.tif 000007